(57)【要約】【課題】３個の触媒を用いて排気ガス中に含まれるＣＯ、ＴＨＣ、ＮＯｘ等の排気成分を十分に浄化できるようにした内燃機関の排気浄化装置を提供する。【解決手段】第２の触媒４０の上流側部位４０Ａにロジウムを担持させると共に、第２の触媒４０の下流側部位４０Ｂにパラジウムを担持させる。そして、二次空気導入管６０を通じて排気管２０内に導かれる二次空気と、第２の触媒４０で担持されたパラジウムと、第３の触媒５０で担持されたパラジウムとによって排気ガス中に含まれるＣＯおよびＴＨＣを酸化する。これにより、第２の触媒４０と第３の触媒５０との間の位置で排気管２０内に導かれた二次空気が上流側に逆流した場合でも、この二次空気は第２の触媒４０で担持したパラジウムによりＣＯおよびＴＨＣを酸化するために使われるため、二次空気が第２の触媒４０で担持したパラジウムを通過してロジウムまで逆流することが殆どなくなる。【選択図】図１
2008144612.tif 000002
【特許請求の範囲】
【請求項１】
内燃機関からの排気ガスが排出される排気管と、
該排気管の途中に設けられ、前記排気ガスを浄化する第１の触媒と、
該第１の触媒よりも下流側に位置して前記排気管の途中に設けられ、前記第１の触媒から流出した排気ガスを浄化する第２の触媒と、
該第２の触媒よりも下流側に位置して前記排気管の途中に設けられ、前記第２の触媒から流出した排気ガスを浄化する第３の触媒と、
前記第２の触媒と前記第３の触媒との間に位置して前記排気管に設けられ、前記排気管に二次空気を導入するための二次空気導入管と、
を備え、
前記第２の触媒の上流側部位と下流側部位は、互いに異なる構成を有する材料を担持することを特徴とする内燃機関の排気浄化装置。
【請求項２】
前記第２の触媒の上流側部位は下流側部位よりも多い割合のロジウムを担持することを特徴とする請求項１に記載の内燃機関の排気浄化装置。
【請求項３】
前記第２の触媒の下流側部位は上流側部位よりも多い割合のパラジウムを担持することを特徴とする請求項１に記載の内燃機関の排気浄化装置。
【請求項４】
前記排気管には前記第１の触媒と前記第２の触媒との間の位置で前記排気管に二次空気を導入するための他の二次空気導入管を設けたことを特徴とする請求項１に記載の内燃機関の排気浄化装置。
【請求項５】
前記他の二次空気導入管には、当該導入管から前記排気管に導入される二次空気の流通を制御するための流通制御弁を設けたことを特徴とする請求項４に記載の内燃機関の排気浄化装置。
【発明の詳細な説明】
【技術分野】
【０００１】
本発明は、例えば二輪自動車等に装備される内燃機関の排気浄化装置。
【背景技術】
【０００２】
通常、二輪自動車等に装備される内燃機関であるエンジンからの排気ガスは大気に放出されるが、この排気ガスの放出前に、排気ガスをできるだけ浄化させることが望まれる。このため、従来、エンジンからの排気ガスが排出される排気管の途中に触媒（キャタライザ）を設け、この触媒により前記浄化を行なうようにしている。
【０００３】
ここで、前記触媒により排気ガスの浄化を行なう従来の排気浄化装置としては、下記のようなものが知られている（例えば、特許文献１参照）。
【０００４】
即ち、この従来技術による排気浄化装置では、排気管の上流側から下流側に向けて排気管の途中に第１の触媒、第２の触媒、第３の触媒を順次配置すると共に、排気管の途中には、エンジンと第１の触媒との間の位置で第１の二次空気導入管を接続し、第２の触媒と第３の触媒との間の位置で第１の二次空気導入管の途中から切換弁を介して分岐した第２の二次空気導入管を接続している。
【０００５】
そして、コントローラから切換弁に出力される信号により第１の二次空気導入管が排気管と連通したときには、第１，第２，第３の触媒でＣＯ、ＴＨＣを浄化（酸化）するようにしている。また、コントローラから切換弁に出力される信号により第２の二次空気導入管が排気管と連通したときには、第１，第２の触媒でＮＯｘを還元すると共に、第３の触媒でＣＯ、ＴＨＣを酸化するようにしている。
【特許文献１】特開平５−３２１６５３号公報
【発明の開示】
【発明が解決しようとする課題】
【０００６】
ところで、前記従来技術では、コントローラから切換弁に出力される信号により第２の二次空気導入管を排気管と連通させたときには、第１，第２の触媒で排気ガス中に含まれるＮＯｘを還元させると共に第３の触媒で排気ガス中に含まれるＣＯ、ＴＨＣを酸化させるようにしている。
【０００７】
しかし、この従来技術では、第２の二次空気導入管を排気管と連通させたときに、この二次空気の一部は第２の触媒に向けて逆流するため、第２の触媒の上流側部位はＮＯｘ等の還元を行なうために使われるのに対し、第２の触媒の下流側部位は前記二次空気によってＣＯ、ＴＨＣ等の酸化に使われてしまうが、この従来技術では、第２の触媒に均一な材料を担持させているため、第２の触媒がＮＯｘ、ＣＯ、ＴＨＣの浄化を良好に行なうための適切な材料を考慮して形成されていないという問題がある。
【０００８】
本発明はこのような問題に鑑みてなされたものであり、３個の触媒を用いて排気ガス中に含まれるＮＯｘの還元とＣＯ、ＴＨＣの酸化の両方を効率的に行なうことができるようにした内燃機関の排気浄化装置に関する。
【課題を解決するための手段】
【０００９】
前記従来技術の問題点を解決するための本発明に係る内燃機関の排気浄化装置は内燃機関からの排気ガスが排出される排気管と、該排気管の途中に設けられ、前記排気ガスを浄化する第１の触媒と、該第１の触媒よりも下流側に位置して前記排気管の途中に設けられ、前記第１の触媒から流出した排気ガスを浄化する第２の触媒と、該第２の触媒よりも下流側に位置して前記排気管の途中に設けられ、前記第２の触媒から流出した排気ガスを浄化する第３の触媒と、前記第２の触媒と前記第３の触媒との間に位置して前記排気管に設けられ、前記排気管に二次空気を導入するための二次空気導入管と、を備え、前記第２の触媒の上流側部位と下流側部位は、互いに異なる構成を有する材料を担持することを特徴としている。
【００１０】
このように構成される本発明によれば、第２の触媒の上流側部位と下流側部位に互いに異なる構成を有する材料を担持させるようにしたので、第２の触媒の上流側部位にＮＯｘ等を還元するのに最適な還元触媒を担持させると共に、第２の触媒の下流側部位に例えばＣＯ、ＴＨＣ等を酸化するのに最適な酸化触媒を担持させることができる。これにより、第２の触媒と第３の触媒との間の位置で排気管に導かれた二次空気が上流側に逆流した場合でも、この二次空気と第２の触媒の下流側部位で担持した酸化触媒により排気ガス中に含まれるＣＯおよびＴＨＣ等を良好に酸化することができる。また、第１の触媒と第２の触媒の上流側部位で担持した還元触媒により、排気ガス中に含まれる例えばＮＯｘ等を良好に還元することができる。
【００１１】
また、本発明の一態様においては、前記第２の触媒の上流側部位は下流側部位よりも多い割合のロジウムを担持することができる。このように構成される本発明によれば、第２の触媒の上流側部位で担持したロジウムを用いて排気ガス中に含まれるＮＯｘ等をより一層効率よく還元することができる。
【００１２】
また、本発明の一態様においては、前記第２の触媒の下流側部位は上流側部位よりも多い割合のパラジウムを担持することができる。このように構成される本発明によれば、第２の触媒の下流側部位で担持したパラジウムを用いて排気ガス中に含まれるＣＯ、ＴＨＣ等をより一層効率よく酸化することができる。
【００１３】
さらに、本発明の一態様においては、前記排気管には前記第１の触媒と前記第２の触媒との間の位置で前記排気管に二次空気を導入するための他の二次空気導入管を設けることができる。このように構成される本発明によれば、二次空気が第２の触媒と第３の触媒との間の位置で二次空気導入管を通じて排気管に導かれると共に、第１の触媒と第２の触媒との間の位置で他の二次空気導入管を通じて排気管に導かれるため、これら第１，第２，第３の触媒によりＣＯおよびＴＨＣの酸化を効率的に行なうことができる。
【００１４】
さらに、本発明の一態様においては、前記他の二次空気導入管には、当該導入管から排気管に導入される二次空気の流通を制御するための流通制御弁を設けることができる。このように構成される本発明によれば、他の二次空気導入管から排気管に導入される二次空気の流通を流通制御弁で制御することによって、前記二次空気により第２の触媒と第３の触媒でＣＯおよびＴＨＣが酸化される酸化量を適宜に調整することができる。
【発明の効果】
【００１５】
本発明に係る内燃機関の排気浄化装置によれば、第１の触媒と第２の触媒の上流側部位で担持した還元触媒により、排気ガス中に含まれる例えばＮＯｘ等を良好に還元することができる。また、第２の触媒の下流側部位で担持した酸化触媒と第３の触媒により、排気ガス中に含まれる例えばＣＯ、ＴＨＣを良好に酸化することができる。このため、３個の触媒を用いて排気ガス中に含まれるＣＯ、ＴＨＣ、ＮＯｘ等の排気成分を十分に浄化することができる。
【発明を実施するための最良の形態】
【００１６】
本発明の実施の形態に係る内燃機関の排気浄化装置を図１および図２を参照して説明する。本実施の形態に係る内燃機関の排気浄化装置１は、例えば二輪自動車に装備され、エンジン１０、排気管２０、第１の触媒３０、第２の触媒４０、第３の触媒５０および二次空気導入管６０を含んで構成されている。
【００１７】
エンジン１０は例えば二輪自動車に搭載され、エアクリーナ１１からの空気と燃料供給装置１４からの燃料とを混合してエンジン１０内のシリンダ（図示せず）に供給（噴射）し、エンジン内で燃料を燃焼させることによりエンジン１０内のピストン（図示せず）を駆動（往復動）させるものである。なお、排気管２０のうち二次空気導入管６０の開口部よりも下流側でかつ第３の触媒５０よりも上流側の位置、または後述するサイレンサ１２の下流端側の位置には酸素センサ（図示せず）が装着され、この酸素センサからの出力信号はコントローラ（図示せず）に入力される。そして、排気管２０から排出される排気ガスがストイキ（理論空燃比）になるように、燃料供給装置１４は、コントローラを介した酸素センサからの出力信号に基づいてエンジン１０内に供給する燃料の供給量が制御されるようになっている。
【００１８】
排気管２０は上流端側がエンジン１０に接続されている。そして、排気管２０はエンジン１０内で燃焼した混合気（燃料と空気）の排気ガスを外部に排出させるものである。この排気ガス内にはＮＯｘ、ＣＯ、ＴＨＣ等の排気物質が含まれている。また、排気管２０の下流端側には、排気ガスを外部に排出させるときの排気音を低減させるサイレンサ１２が装着されている。
【００１９】
第１の触媒３０は第１の材料であるロジウムを主成分とした金属を担持させた還元触媒である。また、この第１の触媒３０は排気管２０内の上流側、例えばエキゾーストパイプ内に取り付けられている。そして、第１の触媒３０は排気管２０内を流通する排気ガスに含まれるＮＯｘを主に還元するものである。
【００２０】
第２の触媒４０のうち、第２の触媒の上流側部位４０Ａと下流側部位４０Ｂには、互いに異なる構成を有する材料が担持されている。具体的には、上流側部位４０Ａにロジウムを主成分とした金属が担持されると共に、下流側部位４０Ｂにはパラジウムを主成分とした金属が担持されている。つまり、第２の触媒４０は還元触媒と酸化触媒の両方の機能を併せもつものである。また、第２の触媒４０は、第１の触媒３０よりも下流側でかつサイレンサ１２内の位置で排気管２０内に取り付けられている。そして、第２の触媒４０は排気管２０内を流通する排気ガスに含まれるＮＯｘを上流側部位４０Ａで担持したロジウムで主に還元すると共に、ＣＯ、ＴＨＣを下流側部位４０Ｂで担持したパラジウムで主に酸化するものである。
【００２１】
第３の触媒５０は第２の材料であるパラジウムを主成分とした金属を担持させた酸化触媒である。また、第３の触媒５０は第２の触媒４０よりも下流側でかつサイレンサ１２内の位置で排気管２０内に取り付けられている。そして、第３の触媒５０は排気管２０内を流通する排気ガスに含まれるＣＯ、ＴＨＣを主に酸化するものである。
【００２２】
二次空気導入管６０は上流端側がエアクリーナ１１に接続されている。また、二次空気導入管６０の下流端側はサイレンサ１２内でかつ第２の触媒４０と第３の触媒５０との間の位置で排気管２０に接続されている。そして、二次空気導入管６０は外部の空気をエアクリーナ１１からリードバルブ１３を介して第２の触媒４０と第３の触媒５０との間の位置で排気管２０に常時供給し、第３の触媒５０におけるＣＯ、ＴＨＣの酸化を促進させるものである。
【００２３】
このように構成される本実施の形態に係る排気浄化装置１によれば、第２の触媒４０の上流側部位４０Ａにロジウムを担持させると共に、第２の触媒４０の下流側部位４０Ｂにパラジウムを担持させる構成としたため、二次空気導入管６０を通じて第２の触媒４０と第３の触媒５０との間の位置で排気管２０内に導かれる二次空気と、第２の触媒４０で担持されたパラジウムと、第３の触媒５０で担持されたパラジウムとによって排気ガス中に含まれるＣＯおよびＴＨＣを十分に酸化することができる。
【００２４】
また、この第２の触媒４０と第３の触媒５０との間の位置で排気管２０内に導かれた二次空気が上流側に逆流した場合でも、この二次空気と第２の触媒４０で担持したパラジウムによりＣＯおよびＴＨＣを良好に酸化することができる。また、第１の触媒３０で担持したロジウムと第２の触媒４０で担持したロジウムにより、排気ガス中に含まれるＮＯｘを良好に還元することができる。
【００２５】
従って、本実施の形態によれば、３個の触媒３０，４０，５０を用いることにより、ＮＯｘ、ＣＯ、ＴＨＣ等を十分に浄化することができ、排気浄化装置１の性能、信頼性等を高めることができる。
【００２６】
また、第２の触媒４０には、その上流側部位にロジウムを担持させると共に、下流側部位にパラジウムを担持させたので、ロジウムとパラジムを第２の触媒４０に対し適材適所に担持させることができ、第２の触媒４０のコストを削減することができる。
【００２７】
また、本実施の形態によれば、還元用の触媒を二つの触媒３０，４０に分割したので、エンジン１０の始動時には、エンジン１０側に近い第１の触媒３０が冷機時にいち早く活性化し、それに伴い他の二つの触媒４０，５０の活性化を早めることができる。つまり、第１の触媒３０は、ＮＯｘの還元と共に他の二つの触媒４０，５０を早期に活性化させるプレヒートとしての機能を発揮させることができる。これにより、エンジン１０の始動後早期にＮＯｘの還元とＣＯおよびＴＨＣの酸化が開始され、排気ガスの三成分の浄化の向上を図ることができる。
【００２８】
さらに、還元用の触媒を二つの触媒３０，４０に分割したので、それぞれの触媒３０，４０を小型化できるため、第１の触媒３０をエキゾーストパイプ内に配置した場合でも、車体のバンク角度や車体の外観等のレイアウト要件を容易に満たすことができる。
【００２９】
なお、第１の触媒３０は、その容量を確保するために径方向に拡大するのではなく、長さ方向に拡大することで、必要な容量を確保することが望ましい。これは、前述したレイアウト要件を満たすことができる上に、第２，第３の触媒４０，５０に流れ込む排気ガスの温度を効果的に昇温でき、より早期に触媒３０，４０，５０を活性化させることができるためである。
【００３０】
次に、図３は本発明の第２の実施の形態を示している。なお、本実施の形態では、第１の実施の形態と同一の構成要素に同一の符号を付し、その説明を省略するものとする。
【００３１】
本実施の形態に係る内燃機関の排気浄化装置６０は、エンジン（図示せず）、排気管２０、第１の触媒３０、第２の触媒７０、第３の触媒５０および二次空気導入管８０を含んで構成されている。
【００３２】
ここで、第２の触媒７０は第１の実施の形態で述べた第２の触媒４０と同様に、その上流側部位７０Ａにロジウムを主成分とした金属が担持されると共に、下流側部位７０Ｂにはパラジウムを主成分とした金属が担持されている。しかし、この第２の触媒７０はサイレンサ１２よりも上流側で排気管２０内に取り付けられている点で、第１の実施の形態のものとは異なっている。また、二次空気導入管８０は、第２の触媒７０と第３の触媒５０との間の位置で排気管２０に接続されている。
【００３３】
このように構成される本実施の形態でも、３個の触媒３０，７０，５０を用いることにより、ＣＯ、ＴＨＣに加えてＮＯｘについても十分に浄化することができ、第１の実施の形態とほぼ同様の作用効果を得ることができる。
【００３４】
次に、図４は本発明の第３の実施の形態を示している。なお、本実施の形態では、第１の実施の形態と同一の構成要素に同一の符号を付し、その説明を省略するものとする。
【００３５】
本実施の形態に係る内燃機関の排気浄化装置９０は、エンジン（図示せず）、排気管２０、第１の触媒３０、第２の触媒１００、第３の触媒５０および二次空気導入管１１０を含んで構成されている。
【００３６】
ここで、第２の触媒１００は第１の実施の形態で述べた第２の触媒４０と同様に、その上流側部位１００Ａにロジウムを主成分とした金属が担持されると共に、下流側部位１００Ｂにはパラジウムを主成分とした金属が担持されている。しかし、この第２の触媒１００はサイレンサ１２よりも上流側で排気管２０内に取り付けられている点で、第１の実施の形態のものとは異なっている。
【００３７】
また、二次空気導入管１１０は、第１の実施の形態による二次空気導入管６０と同様に、第２の触媒１００と第３の触媒５０との間の位置で排気管２０に接続されている。しかし、この二次空気導入管１１０は、サイレンサ１２よりも上流側で排気管２０に接続されている点で、第１の実施の形態のものとは異なっている。このため、排気管２０には、冷たい二次空気をサイレンサ１２で暖められることなく直接供給でき、二次空気の酸素濃度を高めることができ、第３の触媒５０におけるＣＯ、ＴＨＣの燃焼効率（酸化効率）を向上することができる。
【００３８】
このように構成される本実施の形態でも、３個の触媒３０，１００，５０を用いることにより、ＣＯ、ＴＨＣに加えてＮＯｘについても十分に浄化することができ、第１の実施の形態とほぼ同様の作用効果を得ることができる。
【００３９】
次に、図５は本発明の第４の実施の形態を示している。なお、本実施の形態では、第１の実施の形態と同一の構成要素に同一の符号を付し、その説明を省略するものとする。
【００４０】
本実施の形態に係る内燃機関の排気浄化装置１２０は、第１の実施の形態と同様に、エンジン（図示せず）、排気管２０、第１の触媒３０、第２の触媒４０、第３の触媒５０および第１の二次空気導入管となる二次空気導入管６０を含んで構成されている。
【００４１】
しかし、本実施の形態に係る排気浄化装置１２０は、第２の触媒４０と第３の触媒５０との間で、かつサイレンサ１２内の位置で排気管２０に第２の二次空気導入管となる他の二次空気導入管１３０の下流端側が接続されている点で第１の実施の形態のものとは異なっている。
【００４２】
ここで、排気管２０内を流通する排気ガスがストイキ（理論空燃比）になるように第２の二次空気導入管１３０の途中には、コントローラ（図示せず）からの出力信号に応じて開閉制御される流通制御弁であるリードバルブ１４０が設けられている。
【００４３】
このため、ＮＯｘの還元をＣＯ、ＴＨＣの酸化よりも強化したいセッティングの場合は、コントローラからの出力信号によってリードバルブ１４０が閉弁されることにより、排気管２０内への二次空気導入管１３０からの二次空気の流通が遮断され、第１の触媒３０で担持したロジウムと第２の触媒４０の上流側部位４０Ａで担持したロジウムで主にＮＯｘの還元を良好に行なうことができる。
【００４４】
また、ＣＯ、ＴＨＣの酸化をＮＯｘの還元よりも強化したいセッティングの場合は、コントローラからの出力信号によってリードバルブ１４０が開弁されることにより、排気管２０内に二次空気導入管１３０からの二次空気が流通され、第２の触媒４０を主にＣＯ、ＴＨＣの酸化に用いることができる。また、この場合、二つの二次空気導入管６０，１３０を用いて排気管２０内に二次空気を導入することができるため、排気管２０内に導入される二次空気の流量の増加を図ることができ、ＣＯ、ＴＨＣをより一層効果的に酸化することができる。
【００４５】
このように構成される本実施の形態でも、３個の触媒３０，４０，５０を用いることにより、ＣＯ、ＴＨＣに加えてＮＯｘについても十分に浄化することができ、第１の実施の形態とほぼ同様の作用効果を得ることができる。
【００４６】
次に、図６は本発明の第５の実施の形態を示している。なお、本実施の形態では、第１の実施の形態と同一の構成要素に同一の符号を付し、その説明を省略するものとする。
【００４７】
本実施の形態に係る内燃機関の排気浄化装置１５０は、第１の実施の形態と同様に、エンジン（図示せず）、排気管２０、第１の触媒３０、第２の触媒４０、第３の触媒５０および第１の二次空気導入管となる二次空気導入管６０を含んで構成されている。
【００４８】
しかし、本実施の形態に係る排気浄化装置１５０は、第２の触媒４０と第３の触媒５０との間で、かつサイレンサ１２よりも上流側となる位置で、排気管２０に第２の二次空気導入管となる他の二次空気導入管１６０の下流端側が接続されている点で、第１の実施の形態のものとは異なっている。そして、第２の二次空気導入管１６０の途中には、第４の実施の形態と同様に、コントローラ（図示せず）からの出力信号に応じて開閉制御される流量調整弁であるリードバルブ１７０が設けられている。
【００４９】
このように構成される本実施の形態でも、第４の実施の形態とほぼ同様の作用効果を得ることができる。
【００５０】
次に、図７は本発明の第６の実施の形態を示している。なお、本実施の形態では、第１の実施の形態と同一の構成要素に同一の符号を付し、その説明を省略するものとする。
【００５１】
本実施の形態に係る内燃機関の排気浄化装置１８０は、エンジン（図示せず）、排気管２０、第１の触媒３０、第２の触媒４０、第３の触媒５０、第１の二次空気導入管となる二次空気導入管１９０および第２の二次空気導入管となる他の二次空気導入管２００を含んで構成されている。
【００５２】
ここで、二次空気導入管１９０は第２の触媒４０と第３の触媒５０との間で、かつサイレンサ１２よりも上流側となる位置で排気管２０に接続されている。そして、二次空気導入管１９０の途中にはリードバルブ２１０が接続されている。
【００５３】
また、二次空気導入管２００は第２の触媒４０と第３の触媒５０との間の位置で排気管２０に接続されている。そして、二次空気導入管２００の途中にはコントローラ（図示せず）からの出力信号に応じて開閉する流通調整弁であるリードバルブ２２０が設けられている。
【００５４】
このように構成される本実施の形態でも、第４の実施の形態とほぼ同様の作用効果を得ることができる。
【００５５】
次に、図８は本発明の第７の実施の形態を示している。なお、本実施の形態では、第１の実施の形態と同一の構成要素に同一の符号を付し、その説明を省略するものとする。
【００５６】
本実施の形態に係る内燃機関の排気浄化装置２３０は、エンジン（図示せず）、排気管２０、第１の触媒３０、第２の触媒２４０、第３の触媒５０、第１の二次空気導入管となる二次空気導入管６０および第２の二次空気導入管となる他の二次空気導入管２５０を含んで構成されている。そして、第２の触媒２４０は、その上流側部位２４０Ａにロジウムを主成分とした金属が担持されると共に、下流側部位２４０Ｂにはパラジウムを主成分とした金属が担持されている。
【００５７】
ここで、第２の触媒２４０はサイレンサ１２よりも上流側となる位置で排気管２０に取り付けられている。また、二次空気導入管２５０は第１の触媒３０と第２の触媒２４０との間の位置で排気管２０に接続されている。そして、この二次空気導入管２５０の途中にはコントローラ（図示せず）からの出力信号に応じて開閉する流通制御弁であるリードバルブ２６０が設けられている。
【００５８】
このように構成される本実施の形態でも、第４の実施の形態とほぼ同様の作用効果を得ることができる。
【００５９】
なお、第１の実施の形態では、排気管２０を第１の触媒３０および第２の触媒４０と同径に設定する場合を例に挙げて説明したが、本発明はこれに限らず、例えば図９に示す変形例のように、排気管２０Ａをサイレンサ１２内に収容される第２の触媒４０および第３の触媒５０Ａよりも小径に形成してもよい。
【００６０】
また、第４の実施の形態では、流通制御弁として二次空気を流通、遮断する開閉弁を用いる場合を例に挙げて説明したが、本発明はこれに限らず、例えば二次空気の流量を可変に調整するための流量調整弁を用いてもよい。このことは第５，第６，第７の実施の形態でも同様である。
【図面の簡単な説明】
【００６１】
【図１】本発明の第１の実施の形態に係る内燃機関の排気浄化装置を示す全体図である。
【図２】図１中の排気管、第１，第２，第３の触媒等を示す要部拡大図である。
【図３】本発明の第２の実施の形態に係る内燃機関の排気浄化装置の排気管、第１，第２，第３の触媒等を示す図である。
【図４】本発明の第３の実施の形態に係る内燃機関の排気浄化装置の排気管、第１，第２，第３の触媒等を示す図である。
【図５】本発明の第４の実施の形態に係る内燃機関の排気浄化装置の排気管、第１，第２，第３の触媒等を示す図である。
【図６】本発明の第５の実施の形態に係る内燃機関の排気浄化装置の排気管、第１，第２，第３の触媒等を示す図である。
【図７】本発明の第６の実施の形態に係る内燃機関の排気浄化装置の排気管、第１，第２，第３の触媒等を示す図である。
【図８】本発明の第７の実施の形態に係る内燃機関の排気浄化装置の排気管、第１，第２，第３の触媒等を示す図である。
【図９】本発明の変形例による内燃機関の排気浄化装置の排気管、第１，第２，第３の触媒等を示す図である。
【符号の説明】
【００６２】
１，６０，９０，１２０，２３０  排気浄化装置、１３，２１０  リードバルブ、２０，２０Ａ  排気管、３０  第１の触媒、４０，７０，１００，２４０  第２の触媒、４０Ａ，７０Ａ，１００Ａ，２４０Ａ  上流側部位、４０Ｂ，７０Ｂ，１００Ｂ，２４０Ｂ  下流側部位、５０，５０Ａ  第３の触媒、６０，８０，１１０，１９０  二次空気導入管、１３０，１６０，２００，２５０  他の二次空気導入管、１４０，１７０，２２０，２６０  リードバルブ（流通制御弁）。
【図１】
2008144612.tif 000003
【図２】
2008144612.tif 000004
【図３】
2008144612.tif 000005
【図４】
2008144612.tif 000006
【図５】
2008144612.tif 000007
【図６】
2008144612.tif 000008
【図７】
2008144612.tif 000009
【図８】
2008144612.tif 000010
【図９】
2008144612.tif 000011